(57)【要約】  電解液４と負極３を収納した絶縁性材料から成る有底枠状のセルフレーム５と、セルフレーム５内の電解液４を介して上記負極３と対向配置された正極２と、上記負極２と電気的に接続された集電部材６を備えた空気電池において、セルフレーム５の底部を貫通する複数の導通部材７によって、上記負極３と集電部材６とを電気的に接続する。
2015029547.tif 000002
【特許請求の範囲】
【請求項１】
電解液と負極を収納した絶縁性材料から成る有底枠状のセルフレームと、該セルフレーム内の電解液を介して上記負極と対向配置された正極と、上記負極と電気的に接続された集電部材を備えた空気電池において、
上記負極と集電部材とが上記セルフレームの底部を貫通する複数の導通部材を介して接続されていることを特徴とする空気電池。
【請求項２】
上記集電部材が隣接する空気電池との間に通気空間を形成するスペーサーとして機能することを特徴とする請求項１に記載の空気電池。
【請求項３】
上記導通部材がセルフレームと一体成形されていることを特徴とする請求項１又は２に記載の空気電池。
【請求項４】
上記セルフレームと集電部材の間にシール材を備えていることを特徴とする請求項１〜３のいずれか１つの項に記載の空気電池。
【請求項５】
上記負極と導通部材との間が導電性両面テープによって接続されていることを特徴とする請求項１〜４のいずれか１つの項に記載の空気電池。
【請求項６】
上記負極と導通部材との間に金属箔を備えていることを特徴とする請求項１〜４のいずれか１つの項に記載の空気電池。
【請求項７】
上記集電部材と導通部材の間に金属箔を備えていることを特徴とする請求項１〜６のいずれか１つの項に記載の空気電池。
【請求項８】
上記集電部材が導通部材と一体化され両者の機能を兼ね備えていることを特徴とする請求項１〜６のいずれか１つの項に記載の空気電池。
【請求項９】
上記導通部材及び該導通部材が貫通するセルフレーム底部の貫通孔が共に連続した長尺状をなしていることを特徴とする請求項１〜８のいずれか１つの項に記載の空気電池。
【請求項１０】
上記導通部材及び該導通部材が貫通するセルフレーム底部の貫通孔が共に断続した短尺状をなしていることを特徴とする請求項１〜８のいずれか１つの項に記載の空気電池。
【請求項１１】
請求項１〜１０のいずれか１つの項に記載の空気電池を積層して成ることを特徴とする組電池。
【発明の詳細な説明】
【技術分野】
【０００１】
本発明は、空気中の酸素を活物質として利用する空気電池の特に集電技術に係り、隣接するセルの電極間を低抵抗のもとに接続することができる空気電池の構造と、このような空気電池から成る組電池に関するものである。
【背景技術】
【０００２】
空気電池は、空気中の酸素を正極活物質に、アルミニウム（Ａｌ）、鉄（Ｆｅ）、亜鉛（Ｚｎ）などの金属を負極活物質に用いた電池である。
このような電池においては、正極活物質として、空気中の酸素を用いることから、電池容器内に正極活物質を備える必要がないため、エネルギー密度が高く、小型化、軽量化が可能であり、携帯機器用電源として、さらには電動車両などの駆動用電源としての利用が期待されている。【０００３】
このような空気電池の実用に向けて、例えば自動車の駆動用電源として用いる場合、大きな出力電圧と容量が求められるため、複数の大型電池を直列に接続する必要がある。
例えば、特許文献１には、隣接するセルの端子同士の電気的接触性を安定化させ、出力電圧の変動を抑えるべく、各セルの第１電極に導通する第１端子と、各セルの第２電極に導通し隣接するセルの第１端子と接触する第２端子の一方を平坦端子面とし、他方を上記平坦端子面に圧接するバネ性を有する分割端子板とすることが記載されている。
【先行技術文献】
【特許文献】
【０００４】
【特許文献１】日本国特開平０７−０８５８９９号公報
【発明の概要】
【発明が解決しようとする課題】
【０００５】
上記文献に記載された集電構造では、次段の空気極（正極）への電気的接続がアルミニウム電極（負極）表面から集電ワイヤ、アノード集電フレーム、第２端子、第１端子を介して行われ、両端子間の接続は、バネによる押し付けによるものとなっている。
すなわち、セル間の電気的接続が正極、負極ともにセルの外周部を迂回した経路による構造となっているため、集電パスが長く、集電損失が極めて大きくなるという問題がある。なお、このような問題は、大型の大電力用の電池ほど顕著であり、より深刻なものとなる。【０００６】
本発明は、従来の空気電池の接続構造における上記のような課題を解決すべくなされたものであって、その目的とするところは、セル間の集電損失を低減することができ、直列積層に好適な空気電池と、このような電池から成る組電池を提供することにある。
【課題を解決するための手段】
【０００７】
本発明者らは、上記目的の達成に向けて鋭意検討を重ねた結果、電解液を収納するセルフレームの底部に複数のスルーホールを形成し、このスルーホールを介してセルフレーム内の負極との電気的な導通を図ることによって、上記目的が達成できることを見出し、本発明を完成するに至った。【０００８】
すなわち、本発明は上記知見に基づくものであって、本発明の空気電気は、電解液と負極を収納した絶縁性材料から成る有底枠状のセルフレームと、該セルフレーム内の電解液を介して上記負極と対向配置された正極と、上記負極と電気的に接続された集電部材を備え、上記負極と集電部材とが上記セルフレームの底部を貫通する複数の導通部材を介して接続されていることを特徴としている。
また、本発明の組電池は、上記空気電池を複数個積層して成ることを特徴とするものである。
【発明の効果】
【０００９】
本発明によれば、負極がセルフレームの底部を貫通した複数の導通部材を介して集電部材に接続されているため、最短の導電パスによって電流を取り出すことができ、集電損失を大幅に低減することができ、出力性能を向上することができる。
【図面の簡単な説明】
【００１０】
【図１】（ａ）及び（ｂ）は本発明による空気電池の第１及び第２の実施形態を示すそれぞれ断面図である。
【図２】図１（ａ）に示した空気電池から成る組電池の積層構造を示す断面図である。
【図３】（ａ）〜（ｄ）は図２に示した組電池の製造方法として、共用部品の作製手順を説明する工程図である。
【図４】図３に示した工程による組電池の完成状態を示す断面図である。
【図５】（ａ）及び（ｂ）は本発明による空気電池の第３及び第４の実施形態として、セルフレームと集電部材の間にシール材を介在させた例を示す断面図である。
【図６】本発明による空気電池の第５の実施形態として、負極と導通部材を導電性両面テープによって接続した構造例（ａ）及び製造要領（ｂ）を示す断面図である。
【図７】本発明による空気電池の第６の実施形態として、一体化された集電部材と導通部材をセルフレームに一体成形した例を示す断面図である。
【図８】図７に示した一体化セルフレームの作製要領を説明する工程図である。
【図９】（ａ）及び（ｂ）は図７に示した一体化セルフレームを用いた組電池用共用部品の作製要領を説明する工程図である。
【図１０】本発明による空気電池の第７の実施形態として、負極と導通部材と間に金属箔を介在させた構造例を示す断面図である。
【図１１】本発明による空気電池の第８の実施形態として、集電部材と導通部材と間に金属箔を介在させた構造例を示す断面図である。
【図１２】（ａ）〜（ｃ）は図１０（ａ）に示した形態の空気電池から成る組電池に用いる共用部品の作製手順を説明する工程図である。
【図１３】図１２に示した工程による共用部品を用いた組電池の完成状態を示す断面図である。
【図１４】（ａ）及び（ｂ）は導通部材を貫通させるためにセルフレームに形成する貫通孔の形状例を示すセルフレームの平面図及び断面図である。
【発明を実施するための形態】
【００１１】
以下に、本発明の空気電池と、該空気電池を用いた組電池についてさらに詳細、具体的に説明する。
【００１２】
図１（ａ）は、本発明の空気電池の第１の実施形態を説明するための断面図であって、図に示す空気電池１は、正極２及び負極３と、該負極３を底部近傍位置に備え、電解液４を収納するセルフレーム５と、複数（図では４個）の集電部材６から主に構成されている。そして、上記負極３は、セルフレーム５を貫通する導通部材７を介してそれぞれの集電部材６に電気的に接続されている。
上記正極２は、図示しない導電性撥水層を介して、通気性を備えたエッチングプレート８の図中下側の面上に形成された正極触媒層を備え、電解液４を介してセルフレーム５の底部に配設された負極３と対向するようになっている。
【００１３】
正極２は、酸素を正極活物質とするものであって、酸素の酸化還元触媒と、これを担持する導電性の触媒担体を含んでいる。
触媒成分としては、従来公知の空気電池正極用の電極触媒、例えば、二酸化マンガンや四酸化三コバルトなどの金属酸化物や、白金（Ｐｔ）、ルテニウム（Ｒｕ）、イリジウム（Ｉｒ）、ロジウム（Ｒｈ）、パラジウム（Ｐｄ）、オスミウム（Ｏｓ）、タングステン（Ｗ）、鉛（Ｐｂ）、鉄（Ｆｅ）、クロム（Ｃｒ）、コバルト（Ｃｏ）、ニッケル（Ｎｉ）、マンガン（Ｍｎ）、バナジウム（Ｖ）、モリブデン（Ｍｏ）、ガリウム（Ｇａ）、アルミニウム（Ａｌ）等の金属及びその化合物、並びにこれらの合金などから選択することができる。
【００１４】
触媒成分の形状や大きさは、特に限定されるものではなく、従来公知の触媒成分と同様の形状及び大きさを採用することができる。ただし、触媒成分の形状は、粒状であることが好ましく、触媒粒子の平均粒子径は、３０ｎｍ〜１０μｍであることが好ましい。
触媒粒子の平均粒子径がこのような範囲内の値であると、電気化学反応が進行する有効電極面積に関連する触媒利用率と担持の簡便さとのバランスを適切に制御することができる。
なお、「触媒粒子の平均粒子径」は、Ｘ線回折における触媒成分の回折ピークの半値幅から求められる結晶粒子径や、透過型電子顕微鏡像によって調べられる触媒成分の粒子径の平均値として測定することができる。
【００１５】
触媒担体は、上記触媒成分を担持するための担体として、また、触媒成分と他の部材との間での電子の授受に関与する電子伝導パスとして機能する。触媒担体としては、触媒成分を所望の分散状態で担持させるための比表面積を有し、充分な電子伝導性を有しているものであればよく、主成分がカーボンであることが好ましい。触媒担体としては、具体的には、カーボンブラック、活性炭、コークス、天然黒鉛、人造黒鉛などからなるカーボン粒子が挙げられる。
【００１６】
なお、触媒成分と触媒担体で触媒層を形成する場合、かかるカーボン粒子は、その機能から、層構造（多孔質層構造）の主骨格を形成する骨材炭素と、層中に導電通路を形成するのに有用な導電パス材とに大別される。
【００１７】
骨材炭素としては、活性炭、黒鉛及び鱗片状黒鉛が好適であり、これらはいずれも多孔質層中で独立した粒子形状をある程度保持する性質を有している。特に、黒鉛や鱗片状黒鉛を用いると、多孔質層中に隙間が比較的多く形成され易いので、液密性通気層の骨材炭素として使用するのに適している。
【００１８】
また、導電パス材としては、カーボンブラックやアセチレンブラックを例示できるが、特に、アセチレンブラックは上記の鎖状構造を採り易く、しかも表面が撥水性を示すので、液密性通気層の導電パス材として好適である。
【００１９】
上述の骨材炭素と導電パス材の粒径は、使用する空気電池や目的とする起電力などによっても影響を受けるが、代表的には、骨材炭素の平均粒子径は５〜３００μｍで、導電パス材の平均粒子径は５０〜５００ｎｍとすることが好ましい。
骨材炭素の平均粒子径が上記範囲内であることにより、骨材炭素の面方向の導電性及び正極の強度を高めることが可能となる。また、導電パス材の平均粒子径が上記範囲内であることにより、多孔質層の厚さ方向の導電性や液密通気層のガス透過性を高めることが可能となる。なお、骨材炭素及び導電パス材の平均粒子径（メディアン径、Ｄ５０）は、動的光散乱法により求めることができる。
【００２０】
触媒担体に対する触媒成分の担持量については、触媒とこれを担持した担体の全量に対して、好ましくは１〜５０質量％、より好ましくは５〜３０質量％である。触媒成分の担持量がこのような範囲内の値であると、触媒担体上での触媒成分の分散度と触媒性能とのバランスが適切なものとなる。
なお、上記した触媒成分や、これを担持する担体の種類については、上記したものだけに限定されるものではなく、空気電池に適用される従来公知の材料を適宜使用することができることは言うまでもない。
【００２１】
上記エッチングプレート８は、例えばニッケルやステンレス鋼の薄板から成るものであって、マスキングした状態で化学エッチングを施すことによって、周辺部と、後述するように集電部材６との接合位置を除く部分に、０．２〜数ｍｍ程度の微細孔を形成したものが用いられる。
【００２２】
なお、導電性撥水層は、電解液に対する液密性（水密性）と、酸素に対する通気性を備えたものであって、正極２への酸素供給を可能にする一方、電解液４が外部に漏出するのを防止する機能を備え、ポリオレフィンやフッ素樹脂などの撥水性多孔質樹脂と黒鉛などの導電性粉末から成る。
【００２３】
負極３としては、標準電極電位が水素より卑な金属単体や、これら金属を含む合金が用いられる。このような金属単体としては、例えば亜鉛（Ｚｎ）、鉄（Ｆｅ）、アルミニウム（Ａｌ）、マグネシウム（Ｍｇ）などを挙げることができる。また、合金としてはこれらの金属元素に１種以上の金属元素又は非金属元素を加えたものを挙げることができる。しかしながら、これらに限定されるものではなく、空気電池に適用される従来公知の材料を適用することができる。
【００２４】
電解液４としては、例えば、塩化カリウム（ＫＣｌ）、塩化ナトリウム（ＮａＣｌ）、水酸化カリウム（ＫＯＨ）、水酸化ナトリウム（ＮａＯＨ）などの水溶液が用いられるが、これらに限定されるものではなく、同様の空気電池に適用される従来公知の電解液を適用することができる。
【００２５】
セルフレーム５は、樹脂のような絶縁性材料から成る浅い皿状をなす有底容器であって、底部には、導通部材７が貫通する貫通孔（スルーホール）が形成されており、樹脂のような材料から成るものとすることにより、空気電池、特に組電池の軽量化に寄与するものとなる。
【００２６】
集電部材６は、導電性材料である金属、特に銅やアルミニウムなどの導電性に優れた金属から成る物であることが望ましく、導通部材７を介して負極３と電気的に接続されており、最短の導電パスを形成して、集電損失を低減することができる。
なお、当該集電部材６の形状としては、特に限定される訳ではないが、この実施形態においては、ハット型断面を採用しており、このような断面とすることによって隣接する空気電池との間のスペーサーとして機能し、空気の流通空間を確保することができる。
【００２７】
導通部材７としては、負極３と集電部材６との間の導電性と強固な接合を両立させる観点から、この実施形態においては導電性接着剤を用いているが、後述するように、集電部材６と一体化することもでき、負極３との強固な電気的接続が可能でありさえすれば、導電性接着剤のみに限定されることはない。
【００２８】
なお、図１（ｂ）に、本発明の第２の実施形態として示すように、上記正極２と負極３の間には、セパレータ１０を配置することもできる。
このようなセパレータ４としては、例えば、撥水処理を行っていないグラスペーパー、ポリエチレンやポリプロピレン等のポリオレフィンからなる微多孔膜が用いられる。但し、これら材料に限定されるものではなく、空気電池に適用される従来公知のものを適用することができる。
【００２９】
図２は、本発明の上記空気電池１を多数積層してなる組電池の構造を示す断面図であって、図に示すように、積層状態において、導通部材７を介して負極３に接続された集電部材６が図中下側の空気電池１の正極２と電気的に接続されることになる。
したがって、最短のパスによるセル同士の直列接続が可能になり、集電損失が少なく、出力電圧の高い高容量の組電池を実現することができる。また、集電に際してセル間に押し付け力を加える必要がないため、これに耐える強度が必要なく、小型軽量化が可能になる。
【００３０】
図３は、図２に示した組電池の繰り返し構造部分に用いられる共用部品の作製要領を示す工程図である。
【００３１】
まず、図３（ａ）に示すように、エッチングプレート８の表面に、導電性撥水層（図示せず）を介して、正極（触媒層）２を形成する。
エッチングプレート８は、上記したように、所要部分にマスキングを施したニッケルやステンレス鋼の薄板を化学エッチングすることによって、周辺部と集電部材６との接合部位を除く部分に微細な通気孔を形成することによって得ることができる。
【００３２】
導電性撥水層の形成には、溶媒中にフッ素樹脂などの撥水性樹脂とアセチレンブラックや黒鉛などの導電性炭素とバインダーを含む導電性撥水層用インクが用いられ、正極触媒層の形成には、溶媒中に上記導電性炭素と触媒成分とバインダーを含む触媒層用インクを用いることができる。
【００３３】
ここで、バインダーとしては、特に限定されるものではなく、従来公知の空気電池に適用されるバインダーを適宜用いることができる。なお、耐熱性及び耐薬品性の観点からは、ポリテトラフルオロエチレン（ＰＴＦＥ）、ポリプロピレン（ＰＰ）、テトラフルオロエチレン・パーフルオロアルキルビニルエーテル共重合体（ＰＦＡ）、テトラフルオロエチレン・ヘキサフルオロプロピレン共重合体（ＦＥＰ）及びエチレン・テトラフルオロエチレン共重合体（ＥＴＦＥ）を特に好適に使用することができる。
なお、これらインクには、必要に応じて公知の界面活性剤や増粘剤を混合してもよい。
【００３４】
上記エッチングプレート８の表面に、導電性撥水層用インクを塗布し、例えば８０〜１２０℃程度の温度で乾燥したのち、この上に触媒層用インクを塗布し、同様に乾燥する。そして、例えば１００〜３５０℃程度の温度で、焼成することによって、エッチングプレート８上に、導電性撥水層を介して正極２が積層される。
【００３５】
次に、図３（ｂ）に示すように、得られた積層体を反転させ、エッチングプレート８を上側にした状態で、集電部材６をエッチングプレート８の所定部位（エッチングされていない非通気性部分）に、例えばレーザ溶接やシーム溶接などによって接合する。
【００３６】
次いで、図３（ｃ）に示すように、エッチングプレート８上に接合された集電部材６の上に、所定位置に貫通孔（スルーホール）ｈを備えたセルフレーム５を載置し、各集電部材６の貫通孔ｈから露出する部分に、導電性接着剤Ａをそれぞれ塗布する。
次に、図３（ｄ）に示すように、導電性接着剤Ａの上に、亜鉛やアルミニウムなどから成る負極３を重ねて圧着することによって、接着剤Ａがセルフレーム５の貫通孔を塞いで、電解液のシール性が確保される。同時に、各集電部材６が負極３にそれぞれ接着され、導電性接着剤Ａは固化して導通部材７となって、集電部材６と負極３の間が電気的に接続されて組電池用の共用部品が完成する。
【００３７】
そして、セルフレーム５の外周部上端縁に接着剤（導電性は不要）を塗布した状態で、図４に示すように、これら共用部品を多数積層することによって、集電損失が少なくて出力電圧の高い高容量の組電池が完成する。なお、図４に示すように、最上段の共用部品には、正極２と集電部材６を備えたエッチングプレート８を重ねるだけでよく、最下段には、正極２のない部品が配置されることになる。
【００３８】
本発明において、上記セルフレーム５と集電部材６との間にシール材を設けることができる。また、上記集電部材６を導通部材７と一体化し、導通部材としての機能を兼ねることもできる。
図５（ａ）は、本発明の空気電池の第３の実施形態を示す断面図であって、図に示す空気電池１は、セルフレーム５と集電部材６との間に、接着性あるいは粘着性樹脂や両面テープなどから成るシール材１１を介在させたものであって、セルフレーム５と集電部材６との間のシール性を強化することができる。
【００３９】
また、図５（ｂ）は、本発明の空気電池の第４の実施形態を示す断面図であって、図に示す空気電池１においては、集電部材６として、導通部材７と一体化したＴ字型断面をなすものを用いると共に、この集電部材６（７）とセルフレーム５との間にシール材１１を配置するようにしている。これによって、上記実施形態と同様に、シール性を強化することができ、電解液４の耐漏液性を向上させることができる。
【００４０】
また、本発明においては、負極３と導通部材７との間の電気的接続を導電性両面テープによって行うこともできる。
図６（ａ）は、本発明の空気電池の第５の実施形態として、負極３と導通部材７との間に導電性両面テープ１２を介在させた構造例を示す断面図であって、ここでは、導通部材と一体化された集電部材６と負極３の間が導電性両面テープ１２によって電気的に接続されている。同時に、セルフレーム５の貫通孔と集電部材６の間の隙間が両面テープ１２によって覆われ、電解液のシール性が確保されている。
【００４１】
図６（ｂ）は、上記構造の空気電池１から成る組電池の繰り返し構造部分に用いられる共用部品の作製要領を説明する断面図である。
図に示すように、まず、セルフレーム５の底部内面側に、導電性両面テープ１２を貼り付ける。そして、図中下面側に正極２を備えたエッチングプレート８の上面側に接合された集電部材６の先端部をセルフレーム５の貫通孔ｈを通して導電性両面テープ１２に貼り付けると共に、上方側から負極３を押し当てて導電性両面テープ１２に貼り付けるだけで、極めて簡単に共用部品を組み立てることができる。
【００４２】
さらに、本発明においては、上記導通部材７、あるいは導通部材と一体化された構造の集電部材６と、セルフレーム５とを一体成形することもでき、簡素なプロセスによって、当該電池の耐漏液性を向上させることができる。
図７は、本発明の空気電池の第６の実施形態を示すものであって、ここでは、一体成型によって、導通部材としての機能も備えた略十字型断面をなす集電部材６が底部に埋め込まれたセルフレーム５が使用され、その底部に配設された負極３と上記集電部材６とが電気的に接続されている。
【００４３】
図８（ａ）〜（ｄ）は、集電部材６を一体的に備えた上記セルフレーム５の製造方法の一例を示す工程図である。
まず、図８（ａ）に示すように、所定位置に貫通孔ｈを備えた上下２枚の樹脂シートＳ、Ｓを用意し、これら樹脂シートＳ、Ｓの間に複数（図では４個）の集電部材６を挟み込む。
【００４４】
次に、図８（ｂ）に示すように、各集電部材６を樹脂シートＳ、Ｓの貫通孔ｈに位置合わせした状態で、成形型Ｍ１、Ｍ２の間にセットする。
そして、図８（ｃ）に示すように、型を閉じて真空成型することにより、図８（ｄ）に示すような集電部材一体型のセルフレーム５が完成する。
【００４５】
図９（ａ）及び（ｂ）は、上記の集電部材一体型セルフレーム５を用いた空気電池から成る組電池の繰り返し構造部分に用いられる共用部品の作製要領を説明するための断面図である。
【００４６】
先ず、上記図８（ｄ）で得られた一体型セルフレーム５を反転させて、図９（ａ）に示すように、セルフレーム５から突出する集電部材６を上に向け、この上に正極２を備えたエッチングプレート８を正極２を上にした状態で載置する。
そして、上方側からレーザビームを照射することによって、正極２を備えたエッチングプレート８をそれぞれの集電部材６の先端に接合する。この接合は、集電部材６の間隔に応じて設定されたエッチングプレート８の非通気性部分（マスキング部位）において行われる。
【００４７】
次に、図９（ｂ）に示すように、上記により得られた接合体を反転させて、セルフレーム５の底部に負極３を収納し、同様に、レーザビームを照射することによって、負極３を各集電部材６に接合することによって、組電池用の共用部品が得られる。
このような共用部品を多数積層することによって、図４に示したものと同様に、集電損失が少なく、出力電圧が高く、高容量で、耐漏液性に優れた軽量の組電池を得ることができる。
【００４８】
本発明においては、図１０（ａ）及び（ｂ）に示すように、上記導通部材７と負極３の間に金属箔１３を設けることができる。
金属箔１３としては、例えば銅やステンレス鋼など、負極金属より貴な金属から成るものを用いることができ、これによって、電極反応の進行によって負極が消耗して薄くなったり、島状に分散したりしたとしても、集電性が損なわれるような不都合を回避することができる。
【００４９】
このとき、図１０（ｂ）に示すように、金属箔１３の外周部にシール材１１を設けることも望ましく、これによって、電解液４のシール性を高め、耐漏液性をさらに向上させることができる。
なお、金属箔１３と負極３や導通部材７（一体型集電部材６）との間の接合は、導電性接着剤の他、溶接、拡散接合、クラッド手法など冶金的な接合方法を広く適用することができる。また、金属箔１３は、必ずしも連続した１枚のものである必要なく、複数に分割されていても支障はない。
【００５０】
図１１は、本発明の空気電池の第８の実施形態として、上記金属箔１３を導通部材７と集電部材６の間、すなわちセルフレーム５の外側に配置した構造例を示すものである。
このような構造を採用することによって、電極反応の進行に応じて、負極が消耗して薄くなったり島状に分散したりした場合に面内の集電抵抗の分布が緩和され、集電抵抗の悪化が低減できる。また、金属箔部外周にシール層を設けることにより、電解液のシール性を向上させることができる。
【００５１】
図１２（ａ）〜（ｃ）は、図１０（ａ）に示した空気電池から成る組電池の繰り返し構造部分に用いられる共用部品の作製要領を示す工程図である。
すなわち、図３（ａ）、（ｂ）に示したように、エッチングプレート８の表面に、導電性撥水層と正極（触媒層）２を形成したのち、得られた積層体を反転させ、エッチングプレート８を上側にした状態で、集電部材６をエッチングプレート８の所定部位にレーザ溶接やシーム溶接などによって接合する。
【００５２】
次に、図１２（ａ）に示すように、エッチングプレート８上に接合された集電部材６の上に、所定位置に貫通孔を備えたセルフレーム５を載置し、各集電部材６の貫通孔から露出する部分に、導電性接着剤Ａをそれぞれ塗布する。
一方、図１２（ｂ）に示すように、負極３と金属箔１３とを接合しておく。このときの負極３と金属箔１３との接合手段としては、特に限定されることはなく、拡散接合、溶接、クラッド手法などを適用することができる。また、導電性接着剤を用いて接着することもできる。
【００５３】
次に、導電性接着剤Ａの上に、図１２（ｂ）に示した亜鉛やアルミニウムから成る負極３と金属箔１３との接合体を重ねて圧着することによって、導電性接着剤Ａは、セルフレーム５の貫通孔内に拡がってシール性を確保すると共に、固化して導通部材７となり、集電部材６と金属箔１３及び負極３の間を電気的に接続する。
これによって、図１２（ｃ）に示すように、組電池用の共用部品が完成する。
【００５４】
そして、上記により得られた共用部品におけるセルフレーム５の外周部上端縁に接着剤を塗布した状態で、これら共用部品を多数積層することによって、図１３に示すように、集電損失が少なくて出力電圧の高い高容量の組電池が完成する。
【００５５】
本発明の空気電池においては、上記導通部材７、あるいは該導通部材と一体化された集電部材６を複数個備え、当該導通部材７あるいは集電部材６部材がセルフレーム５の底部を貫通することによって、負極３との電気的導通が確保されるものである。
これら導通部材７、あるいは一体化集電部材６については、連続した長尺状のものとすることも、短い断続形状のものとすること可能である。
【００５６】
図１４（ａ）は、長尺状の導通部材７や一体化集電部材６を用いる場合に、セルフレーム５に形成される貫通孔ｈの形状例を示すものであって、当然のことながら、貫通孔ｈについても、上記部材と同様に、連続した長尺状のものとなる。
このようにすれば、部品点数が少なくなり、これら部品のエッチングプレート８への接合工程や、セルフレーム５の貫通孔ｈへの嵌合工程が簡略化され、製造コストを抑えることができる。
【００５７】
一方、 図１４（ｂ）は、短尺状をなし、長手方向に断続した形状の導通部材７や一体化集電部材６を用いる場合におけるセルフレーム５の貫通孔ｈの形状を示すものであって、これら貫通孔ｈについても、部材と同様の短尺状をなす不連続のものとなることは言うまでもない。
このような不連続状の導通部材７や一体化集電部材６を用いることによって、電池内部に温度変化が生じたとしても、セルフレーム５との熱膨張差による熱応力を緩和することができ、セルフレーム５の変形や、これによる破損を未然に防止することができる。
【符号の説明】
【００５８】
１  空気電池
２  正極（空気極）
３  負極
４  電解液
５  セルフレーム
６  集電部材
７  導通部材
１１  シール材
１２  導電性両面テープ
１３  金属箔
【図１】
2015029547.tif 000003
【図２】
2015029547.tif 000004
【図３】
2015029547.tif 000005
【図４】
2015029547.tif 000006
【図５】
2015029547.tif 000007
【図６】
2015029547.tif 000008
【図７】
2015029547.tif 000009
【図８】
2015029547.tif 000010
【図９】
2015029547.tif 000011
【図１０】
2015029547.tif 000012
【図１１】
2015029547.tif 000013
【図１２】
2015029547.tif 000014
【図１３】
2015029547.tif 000015
【図１４】
2015029547.tif 000016
【手続補正書】
【提出日】平成26年8月25日(2014.8.25)
【手続補正１】
【補正対象書類名】特許請求の範囲
【補正対象項目名】全文
【補正方法】変更
【補正の内容】
【特許請求の範囲】
【請求項１】
電解液と負極を収納した絶縁性材料から成る有底枠状のセルフレームと、該セルフレーム内の電解液を介して上記負極と対向配置された正極と、上記負極と電気的に接続された集電部材を備えた空気電池において、
上記負極と集電部材とが上記セルフレームの底部を貫通する複数の導通部材を介して接続されており、
上記集電部材が隣接する空気電池との間に通気空間を形成するスペーサーとして機能する
ことを特徴とする空気電池。
【請求項２】
（削除）
【請求項３】
上記導通部材がセルフレームと一体成形されていることを特徴とする請求項１に記載の空気電池。
【請求項４】
上記セルフレームと集電部材の間にシール材を備えていることを特徴とする請求項１、３のいずれか１つの項に記載の空気電池。
【請求項５】
上記負極と導通部材との間が導電性両面テープによって接続されていることを特徴とする請求項１、３、４のいずれか１つの項に記載の空気電池。
【請求項６】
上記負極と導通部材との間に金属箔を備えていることを特徴とする請求項１、３、４のいずれか１つの項に記載の空気電池。
【請求項７】
上記集電部材と導通部材の間に金属箔を備えていることを特徴とする請求項１、３〜６のいずれか１つの項に記載の空気電池。
【請求項８】
上記集電部材が導通部材と一体化され両者の機能を兼ね備えていることを特徴とする請求項１、３〜６のいずれか１つの項に記載の空気電池。
【請求項９】
上記導通部材及び該導通部材が貫通するセルフレーム底部の貫通孔が共に連続した長尺状をなしていることを特徴とする請求項１、３〜８のいずれか１つの項に記載の空気電池。
【請求項１０】
上記導通部材及び該導通部材が貫通するセルフレーム底部の貫通孔が共に断続した短尺状をなしていることを特徴とする請求項１、３〜８のいずれか１つの項に記載の空気電池。
【請求項１１】
請求項１、３〜１０、１２〜１４のいずれか１つの項に記載の空気電池を積層して成ることを特徴とする組電池。
【請求項１２】
電解液と負極を収納した絶縁性材料から成る有底枠状のセルフレームと、該セルフレーム内の電解液を介して上記負極と対向配置された正極と、上記負極と電気的に接続された集電部材を備えた空気電池において、上記負極と集電部材とが上記セルフレームの底部を貫通する複数の導通部材を介して接続されており、上記負極と導通部材との間が導電性両面テープによって接続されていることを特徴とする空気電池。
【請求項１３】
電解液と負極を収納した絶縁性材料から成る有底枠状のセルフレームと、該セルフレーム内の電解液を介して上記負極と対向配置された正極と、上記負極と電気的に接続された集電部材を備えた空気電池において、上記負極と集電部材とが上記セルフレームの底部を貫通する複数の導通部材を介して接続されており、上記負極と導通部材との間に金属箔を備えていることを特徴とする空気電池。
【請求項１４】
電解液と負極を収納した絶縁性材料から成る有底枠状のセルフレームと、該セルフレーム内の電解液を介して上記負極と対向配置された正極と、上記負極と電気的に接続された集電部材を備えた空気電池において、上記負極と集電部材とが上記セルフレームの底部を貫通する複数の導通部材を介して接続されており、上記集電部材と導通部材の間に金属箔を備えていることを特徴とする空気電池。
【手続補正２】
【補正対象書類名】明細書
【補正対象項目名】０００２
【補正方法】変更
【補正の内容】
【０００２】
続がアルミニウム電極（負極）表面から集電ワイヤ、アノード集電フレーム、第２端子、第１端子を介して行われ、両端子間の接続は、バネによる押し付けによるものとなっている。
すなわち、セル間の電気的接続が正極、負極ともにセルの外周部を迂回した経路による構造となっているため、集電パスが長く、集電損失が極めて大きくなるという問題がある。なお、このような問題は、大型の大電力用の電池ほど顕著であり、より深刻なものとなる。
［０００６］
本発明は、従来の空気電池の接続構造における上記のような課題を解決すべくなされたものであって、その目的とするところは、セル間の集電損失を低減することができ、直列積層に好適な空気電池と、このような電池から成る組電池を提供することにある。
課題を解決するための手段
［０００７］
本発明者らは、上記目的の達成に向けて鋭意検討を重ねた結果、電解液を収納するセルフレームの底部に複数のスルーホールを形成し、このスルーホールを介してセルフレーム内の負極との電気的な導通を図り、隣接する空気電池との間に通気空間を形成するスペーサーとして集電部材を機能させること、負極と導通部材との間を導電性両面テープによって接続させること、負極と導通部材との間に金属箔を備えさせること又は集電部材と導通部材の間に金属箔を備えさせることによって、上記目的が達成できることを見出し、本発明を完成するに至った。
［０００８］
すなわち、本発明は上記知見に基づくものであって、本発明の空気電気は、電解液と負極を収納した絶縁性材料から成る有底枠状のセルフレームと、該セルフレーム内の電解液を介して上記負極と対向配置された正極と、上記負極と電気的に接続された集電部材を備え、上記負極と集電部材とが上記セルフレームの底部を貫通する複数の導通部材を介して接続されており、集電部材が隣接する空気電池との間に通気空間を形成するスペーサーとして機能すること、負極と導通部材との間が導電性両面テープによって接続されていること、負極と導通部材との間に金属箔を備えていること又は集電部材と導通部材の間に金属箔を備えていることを特徴としている。
また、本発明の組電池は、上記空気電池を複数個積層して成ることを特徴とするものである。
発明の効果
［０００９］
本発明によれば、負極がセルフレームの底部を貫通した複数の導通部材を介して集電部材に接続され、集電部材が隣接する空気電池との間に通気空間を形成するスペーサーとして機能する、負極と導通部材との間が導電性両面テープによって接続されている、負極と導通部材との間に金属箔を備えている又は集電部材と導通部材の間に金属箔を備えているため、最短の導電パスによって電流を取り出すことができ、集電損失を大幅に低減することができ、出力性能を向上す
【国際調査報告】
2015029547.tif 000017
2015029547.tif 000018
2015029547.tif 000019
2015029547.tif 000020